(57)【特許請求の範囲】
【請求項１】
カメラ付きドアホン子器と、モニタテレビ付きインターホン親機とを、モニタテレビ付きインターホン中継親機を介して接続した構成のテレビインターホンシステムであって、
上記インターホン中継親機は、上記インターホン親機から受信する信号を復調する復調回路と、上記インターホン親機と上記ドアホン子器との接続を切替制御する切替手段とを備えており、
上記インターホン親機は、通話を開始するときには、制御信号を音声変調回路によって変調して送信する一方、上記切替手段による上記ドアホン子器との切断を、電圧上昇によって検知したときには、モニタテレビに映し出している映像を消去し、
上記インターホン中継親機は、上記復調回路によって、上記インターホン親機からの制御信号を検出したときには、モニタテレビに映し出している映像を消去する一方、通話を開始するときには、上記切替手段によって、上記インターホン親機と上記ドアホン子器との接続を切断することを特徴とするテレビインターホンシステム。
【請求項２】
カメラ付きドアホン子器と、モニタテレビ付きインターホン親機とを、複数台のモニタテレビ付きインターホン中継親機を介して接続した構成のテレビインターホンシステムであって、
上記複数台のインターホン中継親機の各々は、上記インターホン親機又は他のインターホン中継親機から受信する信号を復調する復調回路と、上記インターホン親機と上記ドアホン子器との接続を切替制御する切替手段とを備えており、
上記インターホン親機は、通話を開始するときには、制御信号を音声変調回路によって変調して送信する一方、上記切替手段による上記ドアホン子器との切断を、電圧上昇によって検知したときには、モニタテレビに映し出している映像を消去し、
上記インターホン中継親機は、上記復調回路によって、上記インターホン親機又は他のインターホン中継親機からの制御信号を検出したときには、モニタテレビに映し出している映像を消去する一方、通話を開始するときには、制御信号を音声変調回路によって変調して送信した後に、上記切替手段によって、上記インターホン親機と上記ドアホン子器との接続を切断することを特徴とするテレビインターホンシステム。
【請求項３】
上記制御信号は、不可聴域周波数の信号であることを特徴とする請求項１又は請求項２に記載のテレビインターホンシステム。
【請求項４】
上記制御信号は、その立ち上げ及び立ち下げが緩やかになるように制御されていることを特徴とする請求項１〜請求項３のいずれかに記載のテレビインターホンシステム。
【請求項５】
上記インターホン中継親機は、上記ドアホン子器に電源を供給する給電回路を更に備えており、上記切替手段によって、上記インターホン親機と上記ドアホン子器との接続を切断したときには、上記給電回路によって上記ドアホン子器への電源供給を開始することを特徴とする請求項１〜請求項４のいずれかに記載のテレビインターホンシステム。
【発明の詳細な説明】
【０００１】
【発明の属する技術分野】
本発明は、インターホン親機とドアホン子器とで構成されるシステムに、副親機としてインターホン中継親機を増設することができるテレビインターホンシステムに関する。
【０００２】
【従来の技術】
図７は、従来のテレビインターホンシステムの構成を模式的に示した図である。図示したシステムでは、インターホン親機１００には、ドアホン子器２００を接続するとともに、１又は複数台（図では１台）のインターホン副親機３００を接続している。
【０００３】
ドアホン子器２００において呼出ボタン２０２が操作されると、その呼出信号をインターホン親機１００が検出して、子器２００のカメラ２０１が撮影した映像を、モニタテレビ１０１に映し出すとともに、インターホン副親機３００に対して、子器２００から呼出があったことを示す制御信号を送信する。副親機３００では、親機１００からその制御信号を受信すると、子器２００からの映像信号を受信して、モニタテレビ３０１に映像を映し出す。
【０００４】
ここで、副親機３００において通話ボタン３０２を操作して応答すれば、副親機３００から親機１００に、通話の開始を示す制御信号が送信される。親機１００は、この制御信号を受信すると、モニタテレビ１０１に映し出している映像を消去する。これによって、以降、副親機３００において、子器２００側の映像を見ながらの通話ができるようになる。
【０００５】
また、逆に、親機１００において通話ボタン１０２を操作して応答すれば、親機１００から副親機３００に、通話の開始を示す制御信号が送信される。副親機３００は、この制御信号を受信すると、モニタテレビ３０１に映し出している映像を消去する。これによって、以降、親機１００において、子器２００側の映像を見ながらの通話ができるようになる。
【０００６】
図８は、図７のシステムにおいて使用されている信号の周波数を図示している。この図に示すように、制御信号は、音声信号及び映像信号に影響されない周波数が設定されている。
ところが、以上に説明したインターホンシステムでは、親機１００と副親機３００の各々に、制御信号の送信回路及び受信回路を備える必要があり、親機１００及び副親機３００の製造コストが高くなるという問題があった。
【０００７】
そこで、副親機３００を１台だけ増設可能するシステムでは、制御信号の送受信をなくして、親機１００と副親機３００から制御信号の送信回路及び受信回路を不要にしている。
その場合、子器２００からの呼出を、親機１００と副親機３００の両方で検知して、親機１００と副親機３００のモニタテレビ１０１，３０１に、子器２００のカメラ２０１が撮影する映像を映し出す。この状態において、例えば、副親機３００で通話ボタン３０２を操作すると、副親機３００と子器２００との間で通話を開始できるが、制御信号を送受しないため、親機１００のモニタテレビ１０１では、映像を映し出したままとなってしまう。
【０００８】
図９は、親機１００と子器２００のみで構成される従来のテレビインターホンシステムを模式的に示す図であり、図１０は、図９のシステムにおいて、使用されている信号の周波数を示す図である。このシステムでは、映像信号はベースバンド信号になっており、音声信号は、子器２００から親機１００へは、５．５ＭＨｚのＦＭ変調信号で送信され、親機１００から子器２００へは、６．５ＭＨｚのＦＭ変調信号で送信されるようになっている。
【０００９】
図１１は、図９のシステムにおけるて親機１００の内部構成の一例を示すブロック図である。親機１００は、各部の信号制御をするマイコン１１１と、子器２００からの呼出を検知する子器呼出検知回路１１２と、子器２００に電源を供給する子器給電回路１１３と、モニタテレビ１０１に映像を映し出すテレビ回路１１４と、６．５ＭＨｚ音声ＦＭ変調回路１１５と、５．５ＭＨｚ音声ＦＭ復調回路１１６と、通話回路１１７と、マイク１１８と、スピーカ１１９とを備えている。
【００１０】
親機１００は、子器２００からの呼出を子器呼出検知回路１１２で検知すると、子器給電回路１１３から電源供給を開始し、子器２００から送信されて来る映像信号をテレビ回路１１４によってモニタテレビに映し出す。通話ボタン１０２を操作して応答すれば、通話回路１１７により子器２００と通話を行う。マイク１１８から入力された音声は、６．５ＭＨｚ音声ＦＭ変調回路１１５によって変調されて子器２００に送信され、子器２００から送信されて来る音声は、５．５ＭＨｚ音声ＦＭ復調回路１１６によって復調されて、スピーカ１１９から出力される。
【００１１】
【発明が解決しようとする課題】
上記したように、従来のテレビインターホンシステムでは、親機と子器とで構成されるシステムに、副親機を増設する場合、制御信号を送受するようにすれば、親機と副親機の各々に、制御信号の送信回路及び受信回路を備える必要があるため、製造コストが高くなっていた。また、制御信号を用いないようにすれば、通話をしない親機又は副親機において、モニタテレビに映像が映し出されたままになるという問題があった。
【００１２】
本発明は、このような事情に鑑みてなされたものであり、親機と子器とで構成されるシステムに、簡単な構成で副親機を増設できるテレビインターホンシステムを提供することを目的としている。
【００１３】
【課題を解決するための手段】
上記目的を達成するために、本発明の請求項１に記載のテレビインターホンシステムは、カメラ付きドアホン子器と、モニタテレビ付きインターホン親機とを、モニタテレビ付きインターホン中継親機を介して接続して構成される。すなわち、副親機として、子器と親機とを中継する中継親機を設ける。
【００１４】
インターホン中継親機は、インターホン親機から受信する信号を復調する復調回路と、インターホン親機とドアホン子器との接続を切替制御する切替手段とを備えている。インターホン親機は、通話を開始するときには、制御信号を音声変調回路によって変調して送信する一方、切替手段によるドアホン子器との切断を、電圧上昇によって検知したときには、モニタテレビに映し出している映像を消去する。インターホン中継親機は、復調回路によって、インターホン親機からの制御信号を検出したときには、モニタテレビに映し出している映像を消去する一方、通話を開始するときには、切替手段によって、インターホン親機とドアホン子器との接続を切断する。
【００１５】
請求項２に記載のテレビインターホンシステムは、カメラ付きドアホン子器と、モニタテレビ付きインターホン親機とを、複数台のモニタテレビ付きインターホン中継親機を介して接続して構成される。
複数台のインターホン中継親機の各々は、インターホン親機又は他のインターホン中継親機から受信する信号を復調する復調回路と、インターホン親機とドアホン子器との接続を切替制御する切替手段とを備えている。インターホン親機は、通話を開始するときには、制御信号を音声変調回路によって変調して送信する一方、切替手段によるドアホン子器との切断を、電圧上昇によって検知したときには、モニタテレビに映し出している映像を消去する。インターホン中継親機は、復調回路によって、インターホン親機又は他のインターホン中継親機からの制御信号を検出したときには、モニタテレビに映し出している映像を消去する一方、通話を開始するときには、制御信号を音声変調回路によって変調して送信した後に、切替手段によって、インターホン親機とドアホン子器との接続を切断する。
【００１６】
請求項３では、請求項１又は請求項２において、制御信号は、不可聴域周波数の信号である。請求項４では、請求項１〜請求項３のいずれかにおいて、制御信号は、その立ち上げ、立ち下げが緩やかになるように制御されている。ここに、制御信号は、請求項１の構成では、親機から送信されるようになっており、請求項２の構成では、親機と、複数台の中継親機の各々から送信されるようになっている。
【００１７】
請求項５では、請求項１〜請求項４のいずれかにおいて、インターホン中継親機は、ドアホン子器に電源を供給する給電回路を更に備えており、切替手段によって、インターホン親機とドアホン子器との接続を切断したときには、給電回路によってドアホン子器への電源供給を開始する。
【００１８】
【発明の実施の形態】
以下に、本発明の実施の形態について、図面とともに説明する。
図１は、テレビインターホンシステムの構成の一例を示したブロック図である。このテレビインターホンシステムは、カメラ付きドアホン子器２（以下、単に「子器」ともいう）と、モニタテレビ付きインターホン親機１（以下、単に「親機」ともいう）とを、モニタテレビ付きインターホン中継親機３（以下、単に「中継親機」ともいう）を介して接続している。
【００１９】
親機１は、従来の親機１００と同様の構成になっており（図１１を参照）、各部の信号制御をするマイコン１１と、子器２からの呼出を検知する子器呼出検知回路１２と、子器２に電源を供給する子器給電回路１３と、モニタテレビに映像を映し出すテレビ回路１４と、６．５ＭＨｚ音声ＦＭ変調回路１５と、５．５ＭＨｚ音声ＦＭ復調回路１６と、通話回路１７と、マイク１８と、スピーカ１９とを備えている。
【００２０】
一方の中継親機３は、親機１の構成に加えて、親機１から受信する信号を復調する復調回路として、６．５ＭＨｚ制御ＦＭ復調回路３２を備えるとともに、親機１と子器２との接続を切替制御する切替手段として、切替リレー４１を備えている。その他は親機１の構成と同じであり、各部の信号制御をするマイコン３１と、子器２からの呼出を検知する子器呼出検知回路３３と、子器２に電源を供給する子器給電回路３４と、モニタテレビに映像を映し出すテレビ回路３５と、６．５ＭＨｚ音声ＦＭ変調回路３６と、５．５ＭＨｚ音声ＦＭ復調回路３７と、通話回路３８と、マイク３９と、スピーカ４０とを備えている。
【００２１】
次に、図２と図３を参照して、図１に示したシステムの動作について説明する。図２は親機１が応答した場合の動作、図３は中継親機３が応答した場合の動作である。
図２に示すように、子器２において呼出ボタンが操作され、その呼出を中継親機３と親機１の子器呼出検知回路３３，１２が電圧変化などで検知すると（＃１，＃２）、親機１の子器給電回路１３から電源供給を開始し（＃３）、子器２から送信されて来る映像信号を、中継親機３と親機１のテレビ回路３５，１４によってモニタテレビに映し出す（＃４，＃５）。なお、中継親機３からは、子器２に対して給電は行わない。
【００２２】
そして、親機１において通話ボタンを操作して応答すれば（＃６）、親機１のマイコン１１は、６．５ＭＨｚ音声ＦＭ変調回路１５によって、音声信号に重畳させた制御信号を送信する（＃７）。すると、中継親機３は、６．５ＭＨｚ制御ＦＭ復調回路３２が制御信号を検出して、マイコン３１が、テレビ回路３５によって映し出されている映像を消去する（＃８）。
【００２３】
このときの制御信号は、不可聴域周波数（例えば４０ＫＨｚ）の信号で構成されているため、子器２の６．５ＭＨｚ音声復調回路（不図示）において制御信号を復調して、スピーカから出力しても、子器２側の人に制御信号が聴こえることがない。
そして、親機１の通話回路１７によって子器２との通話が、映像を見ながらできるようになる（＃９）。このとき、マイク１８から入力された音声は、６．５ＭＨｚ音声ＦＭ変調回路１５によって変調されて子器２に送信され、子器２からの音声は、５．５ＭＨｚ音声ＦＭ復調回路１６によって復調されて、スピーカ１９から出力される（図１０参照）。通話が終了すれば、中継親機３は既に待機状態に戻っており、親機１はそのまま待機状態に戻ればよい。
【００２４】
この図２の動作では、親機１は、通話を開始するときには、制御信号を音声変調回路１５によって変調して送信する一方、中継親機３は、復調回路３２によって、親機１からの制御信号を検出したときには、モニタテレビに映し出している映像を消去している。これによって、通話中は、親機１と中継親機３のいずれか一方のみに映像が映し出される。
【００２５】
次に、図３は、中継親機３が応答する場合であるが、子器２の呼出からモニタテレビへの映像表示までは（＃１１〜＃１５）、図２と同じ動作である。すなわち、子器２において呼出ボタンが操作され、その呼出を中継親機３と親機１の子器呼出検知回路３３，１２が電圧変化などで検知すると（＃１１，＃１２）、親機１の子器給電回路１３から電源供給を開始し（＃１３）、子器２から送信されて来る映像信号を、中継親機３と親機１のテレビ回路３５，１４によってモニタテレビに映し出す（＃１４，＃１５）。
【００２６】
この後は図２の動作とは異なっており、中継親機３において通話ボタンを操作して応答すれば（＃１６）、切替リレー４１を制御して、子器２（及び中継親機３）と親機１を切り離す（＃１７）。すると、親機１では、子器２のカメラの負荷がなくなるため、電圧が上昇するので、子器呼出検知回路１２において、子器２が接続されていないこと（開放）を検知して、テレビ回路１４によって映し出されている映像を消去する（＃１８）。一方、中継親機３では、切替リレー４１を制御するとともに、子器給電回路３４から子器２への電源供給を開始する（＃１８）。
【００２７】
その後、中継親機１の通話回路３８によって子器２との通話が、映像を見ながらできるようになる（＃１９）。このとき、マイク３９から入力された音声は、６．５ＭＨｚ音声ＦＭ変調回路３６によって変調されて子器２に送信され、子器２からの音声は、５．５ＭＨｚ音声ＦＭ復調回路３７によって復調されて、スピーカ４０から出力される（図１０参照）。通話が終了すれば、中継親機３は、切替リレー４１を、子器２と親機１とを接続するように元に戻して、待機状態に戻る。
【００２８】
この図３の動作では、中継親機３は、通話を開始するときには、切替リレー４１によって、親機１と子器２との接続を切断する。それと同時に、給電回路３４によって子器２への電源供給を開始する。一方、親機１は、切替リレー４１による子器２との切断を、電圧上昇によって検知したときには、モニタテレビに映し出している映像を消去する。これによって、通話中は、親機１と中継親機３のいずれか一方のみに映像が映し出される。
【００２９】
以上、図２と図３において示したように、親機１と子器２とで構成されるシステムに、副親機として中継親機３を接続した場合、親機１と中継親機３には、制御信号の送受信回路を設ける必要がなく、親機１には、音声変調回路１５を用いて制御信号を送信する機能を備えるだけでよく、また、中継親機３も従来の親機１００（図１１参照）の構成に、制御信号の受信回路３２と、切替リレー４１を備えるだけでよい。更に、従来のように、通話をしていない親機１又は中継親機３において、モニタテレビに子器２側の映像が映し出されたままになることがない。
【００３０】
また、中継親機３に、親機１と同様の制御信号の送信機能を備えれば、その中継親機３を、子器２と親機１の間に、複数台接続することが出来る。この場合、複数台の中継親機３の各々は、親機１又は他の中継親機３から受信する信号を復調する復調回路３２と、親機１と子器２との接続を切替制御する切替手段である切替リレー４１とを備える。
【００３１】
親機１は、通話を開始するときには、制御信号を音声変調回路１５によって変調して送信する一方、切替リレー４１による子器２との切断を、電圧上昇によって検知したときには、モニタテレビに映し出している映像を消去する。
一方の中継親機３は、復調回路３２によって、親機１又は他の中継親機３からの制御信号を検出したときには、モニタテレビに映し出している映像を消去する一方、通話を開始するときには、制御信号を音声変調回路３６によって変調して送信した後に、切替リレー４１によって、親機１と子器２との接続を切断する。
【００３２】
次に、制御信号を送信する際のエンベロープ制御機能について説明する。上記したように、制御信号は、中継親機３を複数台接続する場合は、中継親機３からも送信されるが、以下には、親機１から送信される場合についてのみ説明する。図４は、エンベロープ制御が必要となる場合を説明するための波形図である。図４（ａ）は、親機１のマイコン１１から送信される制御信号の波形であり、この制御信号を可聴範囲外の高い周波数にすれば、子器２のスピーカから音が聴こえないはずである。ところが、図４（ｂ）の（矢印ア）に示すように、子器２においてＦＭ復調後に、ＤＣ変動により「ボッ」という音が出力される場合がある。これは、急に高い周波数の信号が復調されるため、パルス状の信号が発生し、制御信号の始まりと終わりで音が発生してしまうためである。
【００３３】
そこで、本発明では、制御信号の立ち上げ、立ち下げが緩やかになるように、親機１にエンベロープ制御回路を設けることとする。図５は、その場合の波形であり、（ａ）は親機１から送信された制御信号の波形、（ｂ）は子器２が復調する制御信号の波形である。これにより、子器２において、耳障りな音が発生することがない。
【００３４】
図６（ａ）には、エンベロープ制御回路１Ａの例を示しており、（ｂ）には（ａ）の回路の各点（Ａ点〜Ｃ点）における信号波形を示している。
この図では、親機１のマイコン１１から、子器２の６．５ＭＨｚ音声復調回路２１に送出される６．５ＭＨｚのキャリアが、エンベロープ制御回路１Ａによって、その立ち上がりと立ち下がりとが緩やかに変化するように制御されるようになっている。
【００３５】
エンベロープ制御回路１Ａは、エミッタ側を出力抵抗Ｒ２を介して電源ＶＤに接続し、コレクタ側を出力抵抗Ｒ３を介してグランド接続したＰＮＰトランジスタＴｒ１のエミッタ、ベース側にコンデンサＣ１を接続し、そのベース側には入力抵抗Ｒ１を接続して、マイコン１１からゲート信号を入力するとともに、ＰＮＰトランジスタＴｒ１のコレクタには、マイコン１１からキャリアを入力させ、出力抵抗Ｒ３と並列に接続された直流カットコンデンサＣ２を介して、ドアホン子器２の６．５ＭＨｚ音声復調回路２１に入力させる構成になっている。
【００３６】
このようなエンベロープ制御回路１Ａによれば、マイコン１１はキャリアをＰＮＰトランジスタＴｒ１のコレクタ（Ａ点）に出力する際、入力抵抗Ｒ１を通じてＰＮＰトランジスタＴｒ１のベース（Ｂ点）にゲート信号を出力すれば、コンデンサＣ１は静電容量を持つために、ＰＮＰトランジスタＴｒ１のエミッタ・ベース間の電圧の変化が遅れ、このために出力抵抗Ｒ３の端子電圧も、すぐには出力抵抗Ｒ２とＲ３とで定まる分圧比に応じた出力とはならず、一定時間の遅れをもって変化する。
【００３７】
その結果、マイコン１１から出力され、直流カットコンデンサＣ２を通じて、音声復調回路２１に入力されるキャリアのレベルも、Ｃ点に示したように、立ち上がり、立ち下がりが緩やかな変化を呈するので、スピーカで音声変換された際に、キャリアの立ち上げ、立ち下げ時点において耳障りな雑音を生じることが無い。
【００３８】
なお、エンベロープ制御回路１Ａは、図示した回路構成には限定されず、キャリアの立ち上がり、立ち下がりの変化を緩やかにするものであればよい。
【００３９】
【発明の効果】
以上の説明からも理解できるように、本発明の請求項１に記載のテレビインターホンシステムは、ドアホン子器とインターホン親機とを、インターホン中継親機を介して接続して構成できる。このとき、インターホン親機は、新たに、通話を開始するときに制御信号を音声変調回路によって変調して送信する機能と、ドアホン子器との切断を電圧上昇によって検知したときに、モニタテレビに映し出している映像を消去する機能を備えるだけでよい。また、インターホン中継親機は、インターホン親機から制御信号を受信する回路と、インターホン親機とドアホン子器との接続を切替制御する切替手段とを備えればよい。
【００４０】
これによって、インターホン親機とドアホン子器とからなるシステムに、コストアップを抑えて、容易にインターホン中継親機を増設することができる。また、通話をしていない親機又は中継親機において、モニタテレビに子器側の映像が映し出されたままになることがない。
請求項２に記載のテレビインターホンシステムは、インターホン中継親機に、更に、制御信号を送信する機能を備えれば、親機と子器とからなるシステムに、複数台の中継親機を増設することができる。
【００４１】
請求項３では、制御信号は不可聴域周波数の信号になっているので、子器において制御信号が聴こえることがない。また、請求項４では、制御信号は、その立ち上げと立ち下げが緩やかになるように制御されているので、子器において、信号の急な立ち上げや立ち下げによって生じるノイズ音が聴こえることがない。
請求項５では、インターホン中継親機は、インターホン親機とドアホン子器との接続を切断したときには、ドアホン子器への給電を開始するので、中継親機において、子器からの映像を継続して映し出すことができる。
【図面の簡単な説明】
【図１】本発明のテレビインターホンシステムの構成の一例を示すブロック図である。
【図２】本発明のテレビインターホンシステムの動作の一例を示す図である。
【図３】本発明のテレビインターホンシステムの他の動作の一例を示す図である。
【図４】制御信号の波形を示す図である。
【図５】制御信号の波形を示す図である。
【図６】制御信号を図５に示した波形にする回路（エンベロープ制御回路）の一例を示す図である。
【図７】従来のテレビインターホンシステムの構成を模式的に示す図である。
【図８】図７のシステムで使用される信号の周波数を示す図である。
【図９】従来のテレビインターホンシステムの他の構成を模式的に示す図である。
【図１０】図９のシステムで使用される信号の周波数を示す図である。
【図１１】図９のシステムのインターホン親機の内部構成を示すブロック図である。
【符号の説明】
１    モニタテレビ付きインターホン親機
１１  マイコン
１５  ６．５ＭＨｚ音声ＦＭ変調回路
１Ａ  エンベロープ制御回路
２    カメラ付きドアホン子器
３    モニタテレビ付きインターホン中継親機
３１  マイコン
３２  ６．５ＭＨｚ制御ＦＭ復調回路
３４  子器給電回路
３６  ６．５ＭＨｚ音声ＦＭ変調回路
４１  切替リレー
【図１】
0003591380.tif 000002
【図２】
0003591380.tif 000003
【図３】
0003591380.tif 000004
【図４】
0003591380.tif 000005
【図５】
0003591380.tif 000006
【図６】
0003591380.tif 000007
【図７】
0003591380.tif 000008
【図８】
0003591380.tif 000009
【図９】
0003591380.tif 000010
【図１０】
0003591380.tif 000011
【図１１】
0003591380.tif 000012